(57)【要約】【課題】カメラを搭載した小型化の進む電子機器において、部品の汎用化を図ることを課題とする。【解決手段】カメラモジュール１は、撮像センサ１２、フラッシュメモリ１３を備え、メインモジュール２は、画像処理ユニット２１、ＳＤＲＡＭ２２を備え、これらモジュールがフレキシブルケーブル３で接続される。フラッシュメモリ１３には、画像処理ユニット２１を制御する画像処理プログラム４０が格納される。画像処理プログラム４０は、カメラモジュール１に対応したプログラムである。また、フラッシュメモリ１３には、カメラモジュール１に固有の調整データ４１が格納される。カメラ機能がＯＮとなると、プログラム４０がメインモジュール２にダウンロードされ、画像処理が実行される。【選択図】図１
2006238298.tif 000002
【特許請求の範囲】
【請求項１】
カメラ機能を備えた電子機器であって、
カメラモジュールと、
前記電子機器の本来の機能を実現する部品が搭載されるメインモジュールと、
を備え、
前記カメラモジュールは、
被写体像を導くレンズと、
前記レンズを介して導かれた被写体像を画像信号に変換する撮像センサと、
不揮発性メモリと、
を備え、
前記メインモジュールは、
前記カメラモジュールから入力した画像信号に画像処理を施す画像処理ユニットと、
揮発性メモリと、
を備え、
前記画像処理ユニットを制御するプログラムは前記カメラモジュールに対応したプログラムであって前記不揮発性メモリに格納されており、前記カメラモジュールと前記メインモジュールとの間には、前記プログラムを転送するインタフェースが備えられ、前記プログラムは、前記インタフェースを介して前記カメラモジュールから前記メインモジュールに転送された後、前記揮発性メモリを作業エリアとして実行されることを特徴とするカメラ付き電子機器。
【請求項２】
請求項１に記載のカメラ付き電子機器において、
前記不揮発性メモリに、前記カメラモジュールに固有のデータが格納されることを特徴とするカメラ付き電子機器。
【請求項３】
請求項２に記載のカメラ付き電子機器において、
前記固有のデータは、
前記カメラモジュールに含まれる部品の調整データ、
を含むことを特徴とするカメラ付き電子機器。
【請求項４】
請求項１ないし請求項３のいずれかに記載のカメラ付き電子機器において、
前記カメラモジュールは、さらに、
Ａ／Ｄ変換回路、
を備えることを特徴とするカメラ付き電子機器。
【請求項５】
請求項１ないし請求項４のいずれかに記載のカメラ付き電子機器において、
前記カメラ付電子機器は、カメラ機能を備えた携帯電話装置であることを特徴とするカメラ付き電子機器。
【請求項６】
請求項５に記載のカメラ付き電子機器において、
前記メインモジュールは、さらに、
前記携帯電話装置の全体制御を行うメイン処理ユニット、
を備えることを特徴とするカメラ付き電子機器。
【請求項７】
請求項６に記載のカメラ付き電子機器において、
前記メインモジュールは、
前記画像処理ユニットと前記メイン処理ユニットとの間でデータ転送を行うためのホストインタフェースおよびＹＵＶインタフェースを備えることを特徴とするカメラ付き電子機器。
【請求項８】
請求項１ないし請求項７のいずれかに記載のカメラ付き電子機器において、
前記カメラ付き電子機器のカメラ機能が開始されるタイミングで、前記メインモジュールは前記不揮発性メモリから前記プログラムをダウンロードすることを特徴とするカメラ付き電子機器。
【請求項９】
カメラ機能を備えた電子機器に組み込まれ、前記電子機器の本来の機能を実現する部品が搭載されるメインモジュールであって、
前記電子機器に組み込まれるカメラモジュールから出力された画像信号を入力するとともに、画像信号に対して画像処理を施す画像処理ユニットと、
揮発性メモリと、
を備え、
前記画像処理ユニットを制御するプログラムは前記カメラモジュールに対応したものであって前記カメラモジュールに格納されており、
前記メインモジュールは、さらに、
カメラ機能が開始されたとき、前記カメラモジュールから前記プログラムをダウンロードするインタフェース、
を備え、
ダウンロードした前記プログラムを前記揮発性メモリを作業エリアとして実行することにより、前記カメラモジュールに対応した動作を実行することを特徴とするカメラ付き電子機器に組み込まれるメインモジュール。
【発明の詳細な説明】
【技術分野】
【０００１】
本発明は、本来の機能とは別にカメラ機能が付加された電子機器に関する。
【背景技術】
【０００２】
ＣＣＤ等の撮像センサや画像処理回路の小型化、低コスト化に伴い、本来の機能とは別にカメラ機能が付加された電子機器が製造されるようになっている。たとえば、カメラ付き携帯電話装置や、カメラ付き携帯情報端末（ＰＤＡ）などが存在する。
【０００３】
しかし、携帯電話装置や携帯情報端末にとって、カメラ機能は本来予定されていなかった機能である。したがって、カメラ機能を実現するためのカメラモジュールの多くは、これら電子機器を製造する工場とは別の工場で生産され、電子機器メーカーは、生産されたカメラモジュールを納入して組み立てるという方法をとっているのが一般的である。つまり、カメラモジュールには、レンズや撮像センサなど撮影機能を実現するための部品が組み込まれており、これら部品の調整や組み立ては、これらの技術を専門とする工場で生産されるべきであり、たとえば、携帯電話装置の工場においては、携帯電話本来の機能について品質の向上を高めるための作業に重点を置きたいのが当然である。
【０００４】
そこで、カメラ機能が付加されたこれら電子機器では、電子機器の本来の機能を実装するためのメインモジュールと、付加されたカメラ機能を実装するためのカメラモジュールとを別個の部品として構成し、なるべく独立して生産を進め、最後に組み立てを行うような製造方法をとっている。
【０００５】
また、携帯電話装置や携帯情報端末は、小型化が進んでいる。従って、これら電子機器の小型化を進めながら、カメラ機能を付加するという試みがなされており、メインモジュールやカメラモジュールへの部品の集積度が高くなってきている。
【０００６】
【特許文献１】特開２００４−３１２４３３号公報
【発明の開示】
【発明が解決しようとする課題】
【０００７】
図４は、従来のカメラ付き電子機器のブロック図である。この電子機器は、カメラモジュール５とメインモジュール６とを備えている。カメラモジュール５は、カメラ基板５０とカメラ基板５０に実装される部品などから構成され、メインモジュール６は、メイン基板６０とメイン基板６０に実装される部品などから構成されている。
【０００８】
カメラモジュール５は、被写体像を導くレンズ５１と、レンズ５１を介して導かれた被写体像を画像信号に変換する撮像センサ５２と、カメラモジュール５の調整データが格納されるＥＰＲＯＭ５３と、撮像センサ５２から出力された画像信号をデジタル変換するＡ／Ｄ変換回路５４とを備えている。
【０００９】
メインモジュール６は、カメラモジュール５から入力した画像信号に画像処理を施す画像処理ユニット６１と、画像処理ユニット６１を制御するプログラムが実行する際の作業エリアとして使用されるＳＤＲＡＭ６２と、電子機器の本来の機能を実行するメイン処理ユニット６３と、画像処理ユニット６１を制御するプログラムが格納されるフラッシュメモリ６４とを備えている。
【００１０】
このように、図４で示したカメラ付き電子機器は、部品が分離されており、カメラモジュール５はカメラ製造工場で製造され、メインモジュール６は電子機器の製造工場で製造され、最後に、これら部品を組み立てるという製造方法がとられている。しかし、この構成において、フラッシュメモリ６４に格納されるプログラム、つまり、画像処理ユニット６１を制御するプログラムは、カメラモジュール５に対応したプログラムである。つまり、カメラモジュール５の種別に応じて異なるプログラムを用意する必要がある。このため、たとえば、撮像センサ５２の品種が変更された場合など、カメラモジュール５の構成が変更となった場合には、フラッシュメモリ６４に格納されているプログラムを書き換える作業が発生する。このため、カメラモジュール５の変更に応じてメインモジュール６にも変更を加える必要があり、製造工程および製造コストを増大させるという問題が生じている。メインモジュール６の在庫を多く抱えている場合には、特にこの問題は大きくなる。
【００１１】
このような問題への対応方法として、カメラ付き電子機器を図５に示すような構成とする方法もとられている。この電子機器は、カメラモジュール５Ａとメインモジュール６Ａに分離されている。図４で示した電子機器と異なる点は、カメラモジュール５Ａが、画像処理ユニット５５、ＳＤＲＡＭ５６およびフラッシュメモリ５７を備えている点である。つまり、図４で示した電子機器においてメインモジュール側に実装されていた画像処理ユニット、ＳＤＲＡＭ，フラッシュメモリがカメラモジュール５Ａ側に実装されている。
【００１２】
フラッシュメモリ５７には、画像処理ユニット５５を制御するためのプログラムが格納されている。また、カメラモジュール５Ａの調整データもフラッシュメモリ５７に格納されている。この構成においては、カメラモジュール５に対応して変更する必要のあるプログラムがフラッシュメモリ５７に格納されているため、カメラ機能に関わる部品を全てメインモジュール６Ａと分離させることが可能であり、カメラモジュール５Ａの変更がメインモジュール６Ａに影響を与えないというメリットがある。
【００１３】
ところが、上述したように、これらカメラ機能が付加される電子機器の小型化が進んでおり、図５で示した構成とする場合、小さなカメラモジュール５Ａに非常に多くの部品が集積されることとなる。ここで問題となるのが、撮像センサ５２が温度上昇に伴いノイズが増大するという点である。カメラモジュール５Ａに多くの電子部品が搭載され、それら電子部品が動作することによりカメラモジュール５Ａの温度が上昇すると、撮像センサ５２の電荷蓄積部の電荷の湧き出し量が増えてノイズが増大し、出力する画像信号の品質を劣化させるという問題が生じるのである。特に、画像処理ユニット５５のように、消費電力の比較的高い部品が搭載されると、温度上昇が激しくなり、撮像センサ５２に与える影響が大きくなる。
【００１４】
また、図５で示した構成の場合、画像処理ユニット５５において処理された画像信号は、ＹＵＶインタフェースを介してメインモジュール６Ａに転送されることになる。これは、一般に、カメラモジュール５Ａとメインモジュール６Ａとの間は、フレキシブルケーブルで接続されることになるため、このモジュール間をホストインタフェースで接続することは難しいからである。
【００１５】
したがって、たとえば画像処理ユニット５５において生成されたＪＰＥＧ画像データをＹＵＶインタフェースを介してメインモジュール６Ａに転送することとなるが、このタイミングでメインモジュール６Ａにおいて電子機器の本来の動作処理が割込みで発生した場合に、ＹＵＶインタフェースを介するデータ転送速度が低速であるため、データ受信が正常に行われないなどの問題が発生していた。たとえば、電子機器が携帯電話装置である場合、ＪＰＥＧ画像データの転送中に、メインモジュール６Ａにおいて電話着信処理などが発生すると、データの取りこぼしが発生するなどの問題が発生していた。
【００１６】
また、カメラモジュール側に画像処理ユニットを実装させる場合、カメラモジュール側でＣＰＵ処理やその他のハードウェア処理が発生することになる。このため、図４で示した構成と比較すると、カメラモジュールにおいてスイッチングノイズが多く発生することになり、やはり撮像センサに対する悪影響を及ぼすという問題があった。
【００１７】
また、上記特許文献１では、カメラ部と本体部を分離する構造を有する画像処理システムが開示されている。しかし、このシステムでは、画像処理を実行するＩＣがカメラ部に搭載されているため、図５で示したものと同様、小型化が進む電子機器においてカメラ部における部品の集積度が高くなっている。したがって、温度上昇により撮像センサのノイズが増大するという影響については、問題が解消されていない。
【００１８】
そこで、本発明は、カメラ機能が付加され、小型化が進む電子機器であっても、部品の製造工程や製造コストを高くすることなく、また、画像の品質を劣化させることなく、これら電子機器を構成する技術を提供することを課題とする。
【課題を解決するための手段】
【００１９】
上記課題を解決するため、請求項１記載の発明は、カメラ機能を備えた電子機器であって、カメラモジュールと、前記電子機器の本来の機能を実現する部品が搭載されるメインモジュールと、を備え、前記カメラモジュールは、被写体像を導くレンズと、前記レンズを介して導かれた被写体像を画像信号に変換する撮像センサと、不揮発性メモリと、を備え、前記メインモジュールは、前記カメラモジュールから入力した画像信号に画像処理を施す画像処理ユニットと、揮発性メモリと、を備え、前記画像処理ユニットを制御するプログラムは前記カメラモジュールに対応したプログラムであって前記不揮発性メモリに格納されており、前記カメラモジュールと前記メインモジュールとの間には、前記プログラムを転送するインタフェースが備えられ、前記プログラムは、前記インタフェースを介して前記カメラモジュールから前記メインモジュールに転送された後、前記揮発性メモリを作業エリアとして実行されることを特徴とする。
【００２０】
請求項２記載の発明は、請求項１に記載のカメラ付き電子機器において、前記不揮発性メモリに、前記カメラモジュールに固有のデータが格納されることを特徴とする。
【００２１】
請求項３記載の発明は、請求項２に記載のカメラ付き電子機器において、前記固有のデータは、前記カメラモジュールに含まれる部品の調整データ、を含むことを特徴とする。
【００２２】
請求項４記載の発明は、請求項１ないし請求項３のいずれかに記載のカメラ付き電子機器において、前記カメラモジュールは、さらに、Ａ／Ｄ変換回路、を備えることを特徴とする。
【００２３】
請求項５記載の発明は、請求項１ないし請求項４のいずれかに記載のカメラ付き電子機器において、前記カメラ付電子機器は、カメラ機能を備えた携帯電話装置であることを特徴とする。
【００２４】
請求項６記載の発明は、請求項５に記載のカメラ付き電子機器において、前記メインモジュールは、さらに、前記携帯電話装置の全体制御を行うメイン処理ユニット、を備えることを特徴とする。
【００２５】
請求項７記載の発明は、請求項６に記載のカメラ付き電子機器において、前記メインモジュールは、前記画像処理ユニットと前記メイン処理ユニットとの間でデータ転送を行うためのホストインタフェースおよびＹＵＶインタフェースを備えることを特徴とする。
【００２６】
請求項８記載の発明は、請求項１ないし請求項７のいずれかに記載のカメラ付き電子機器において、前記カメラ付き電子機器のカメラ機能が開始されるタイミングで、前記メインモジュールは前記不揮発性メモリから前記プログラムをダウンロードすることを特徴とする。
【００２７】
請求項９記載の発明は、カメラ機能を備えた電子機器に組み込まれ、前記電子機器の本来の機能を実現する部品が搭載されるメインモジュールであって、前記電子機器に組み込まれるカメラモジュールから出力された画像信号を入力するとともに、画像信号に対して画像処理を施す画像処理ユニットと、揮発性メモリと、を備え、前記画像処理ユニットを制御するプログラムは前記カメラモジュールに対応したものであって前記カメラモジュールに格納されており、前記メインモジュールは、さらに、カメラ機能が開始されたとき、前記カメラモジュールから前記プログラムをダウンロードするインタフェース、を備え、ダウンロードした前記プログラムを前記揮発性メモリを作業エリアとして実行することにより、前記カメラモジュールに対応した動作を実行することを特徴とする。
【発明の効果】
【００２８】
本発明のカメラ付き電子機器は、メインモジュールが画像処理ユニットを備え、画像処理ユニットを制御するプログラムがカメラモジュールに格納される。これにより、カメラモジュールに変更が加わった場合であっても、メインモジュールに変更を加える必要がなく、メインモジュールを共通モジュールとすることが可能である。また、カメラモジュールに画像処理ユニットが搭載されないので、撮像センサのノイズが増大するという影響を低減させることが可能である。
【発明を実施するための最良の形態】
【００２９】
以下、図面を参照しつつ、本発明の実施の形態について説明する。この実施の形態においては、本発明のカメラ付き電子機器を、カメラ付き携帯電話装置４に適用させた場合を説明する。
【００３０】
カメラ付き携帯電話装置４は、図１に示すように、カメラモジュール１とメインモジュール２とを備えている。カメラモジュール１は、カメラ基板１０とカメラ基板１０に実装された各種の部品から構成されている。また、メインモジュール２は、メイン基板２０とメイン基板２０に実装された各種の部品から構成されている。そして、図２に示すように、カメラモジュール１とメインモジュール２とは、フレキシブルケーブル３により接続されている。そして、このように接続されたカメラモジュール１とメインモジュール２とが携帯電話装置のケースに収められ、カメラ付き携帯電話装置４を構成している。
【００３１】
再び、図１を参照する。カメラモジュール１は、被写体像を導くレンズ１１と、レンズ１１により導かれた被写体像を画像信号に変換する撮像センサ１２と、フラッシュメモリ１３とを備えている。撮像センサ１２は、例えば、ＣＣＤセンサやＣＭＯＳセンサが用いられる。撮像センサ１２は、ＣＤＳ（相関２重サンプリング）回路やＡＧＣ（オートゲインコントロール）回路などのアナログ信号処理回路やＡ／Ｄ変換回路を備えており、アナログ信号処理後の画像信号をデジタル信号に変換して出力する。また、フラッシュメモリ１３には、画像処理プログラム４０および調整データ４１が格納されている。
【００３２】
なお、画像処理プログラム４０等を格納するメモリとして、この実施の形態では、シリアルインタフェースを備えたフラッシュメモリ（フラッシュＲＯＭ）を用いているが、一般に書き換え可能な不揮発性メモリを用いることが可能である。たとえば、その他のＥＥＰＲＯＭやＥＰＲＯＭを利用することも可能である。また、パラレスインタフェースを備えたフラッシュメモリを用いてよい。
【００３３】
メインモジュール２は、カメラモジュール１から入力した画像信号に画像処理を施す画像処理ユニット２１と、画像処理ユニット２１を制御するための画像処理プログラム４０が実行される際に作業エリアとして使用されるＳＤＲＡＭ２２と、携帯電話装置４の全体制御を行うメイン処理ユニット２３とを備えている。なお、プログラムの実行エリアとしてＳＤＲＡＭを用いているが、その他の揮発性メモリを用いてもよい。
【００３４】
画像処理ユニット２１は、画像処理プログラム４０を実行するＣＰＵや、各種の画像処理を実行するハードウェア回路などを備えるＬＳＩとして構成されている。各種の画像処理を実行するハードウェア回路は、色空間変換回路、画素補間回路、シェーディング補正回路などが含まれる。メイン処理ユニット２３は、携帯電話装置４の全体制御を行うためのＣＰＵや、各種の処理を実行するハードウェア回路などを備えるＬＳＩとして構成されている。
【００３５】
そして、これら画像処理ユニット２１、メイン処理ユニット２３、ＳＤＲＡＭ２２がメイン基板２０上に搭載され、各種の信号線で接続されている。画像処理ユニット２１とメイン処理ユニット２３との間は、図に示すように、ＹＵＶインタフェースとホストインタフェースで接続されている。
【００３６】
また、メインモジュール２は、その他の各種の部品を実装している。たとえば、携帯電話装置４の本来の機能である通話処理を実行するための部品や、通信処理を行うための部品を含んでいる。また、メインモジュール２には、操作ボタンやマイク、スピーカ、ＬＣＤなどの部品が接続される。このように、メインモジュール２には、携帯電話装置としての本来の機能を実現するための各種の部品が搭載されている。
【００３７】
以上のように構成されたカメラ付き携帯電話装置４の動作について説明する。カメラ付き携帯電話装置４が、携帯電話装置としての本来の機能を実行している場合、たとえば、通話処理などを実行している場合には、カメラモジュール１や画像処理ユニット２１、ＳＤＲＡＭ２２には電源が供給されない。そして、ユーザの操作により、カメラ機能がＯＮにされると、カメラモジュール１、画像処理ユニット２１、ＳＤＲＡＭ２２に電源が供給される。
【００３８】
カメラ機能に関する部品に電源が供給されると、次に、画像処理ユニット２１が備えるダウンロード回路２１１が、画像処理プログラム４０のダウンロードを開始する。画像処理プログラム４０は、画像処理ユニット２１を制御するプログラムであり、カメラモジュール１に対応したプログラムである。つまり、カメラモジュール１の構成あるいは撮像センサ１２の品種に対応した画像処理プログラム４０が用意される必要がある。そして、本実施の形態において、この画像処理プログラム４０は、カメラモジュール１に実装されたフラッシュメモリ１３に格納されている。
【００３９】
図１に示すように、カメラモジュール１とメインモジュール２とを接続するフレキシブルケーブル３には、撮像センサ１２から出力された画像信号が転送されるパラレルの信号線３１と、フラッシュメモリ１３に格納された画像処理プログラム４０が転送されるシリアルの信号線３２とが収納されている。画像信号が転送される信号線３１は、例えば、１０ビット幅や１２ビット幅の信号線である。そして、ダウンロード回路２１１により、シリアル信号線３２を介してダウンロードコマンドが転送されると、画像処理プログラム４０がシリアル信号線３２を介してメインモジュール２に転送され、ＳＤＲＡＭ２２に格納されるのである。このように、本実施の形態のカメラモジュール１とメインモジュール２とは、プログラムを転送するための専用のインタフェースを備えている。なお、フラッシュメモリ１３をパラレルインタフェースを備えたメモリで構成し、プログラムをダウンロードするインタフェースをパラレルインタフェースで構成するようにしてもよい。
【００４０】
そして、画像処理ユニット２１のＣＰＵがＳＤＲＡＭ２２を作業エリアとして使用しながら画像処理プログラム４０を実行するのである。これにより、カメラモジュール１から出力された画像信号が信号線３１を介して画像処理ユニット２１に転送され、画像処理ユニット２１において各種の画像処理が実行されるのである。
【００４１】
また、フラッシュメモリ１３には、カメラモジュール１に固有のデータである調整データ４１が格納されている。調整データ４１は、カメラモジュール１が備える各種の部品に固有のデータである。たとえば、撮像センサ１２の欠陥画素データ、ＩＩＲフィルタなどの光学系やセンサの固体ばらつきに起因して生じる出力レベルの特性データ、基準光源を使用した場合のＲ，Ｇ，Ｂの出力レベルのばらつき特性データ、レンズの光学シェーディング特性データ、などが含まれる。
【００４２】
そして、カメラ機能がＯＮされた場合には、ダウンロード回路２１１が信号線３２を介して調整データ４１をダウンロードし、調整データ４１をＳＤＲＡＭ２２に格納するのである。そして、画像処理プログラム４０は、この調整データ４１に従って、あるいはこれら調整データ４１をパラメータとして使用して画像処理を実行する。たとえば、欠陥画素データに基づいて欠陥画素補正処理が実行される。あるいは、光学シェーディング特性データに基づいてシェーディング補正処理が実行される。このようにして、カメラモジュール１に対応した画像処理プログラム４０が、カメラモジュール１に固有の情報を考慮して実行されるのである。
【００４３】
本実施の形態のカメラ付き携帯電話装置４は、以上の如く構成したので、次のような効果を奏する。第１に、カメラモジュール１に対応した画像処理プログラム４０がカメラモジュール１に格納されている。このため、カメラモジュール１の構成が変更になり、対応して画像処理プログラム４０の内容が変更となった場合にも、カメラモジュール１のみを変更するだけでよい。つまり、カメラモジュール１の構成に変更が生じた場合であっても、メインモジュール２に変更を加える必要がない。これにより、カメラモジュール１の種別に関わらず、メインモジュール２を共通モジュールとすることができる。メインモジュール２を共通モジュール化させることにより、メインモジュール２を量産して在庫を抱えることに対するリスクも低下するので、コストダウンを図ることも可能である。この第１の効果は、図４で説明した従来の構成の問題点を解消している。また、図４で示した従来の構成と比較してＥＰＲＯＭを削減することが可能であり、コストの削減と装置の小型化に有利である。
【００４４】
第２に、カメラモジュール１は、画像処理ユニットを備えていないため、部品点数を削減することが可能である。特に、ＣＰＵ処理により温度上昇の原因となる画像処理ユニットを備えていないので、撮像センサ１２のノイズが増大するという影響を低減させることが可能であり、出力する画像信号の品質を向上させることが可能である。この第２の効果は、図５で説明した従来の構成の問題点を解消している。このように、本実施の形態のカメラ付き携帯電話装置４は、カメラモジュール１とメインモジュール２に搭載する実装部品が一方に集中することなく、バランスよく配置され、図４および図５で示した従来の電子機器の問題点を両方とも解消しているのである。
【００４５】
また、本実施の形態において、カメラモジュール１の調整データ４１は、カメラモジュール１内のフラッシュメモリ１３に格納されている。したがって、カメラモジュール１の製造工程において、カメラモジュール１に実装される部品の調整を行い、その調整結果をカメラモジュール１自身に格納すればよいので、カメラモジュール１単体で製造工程を完結させることが可能である。
【００４６】
また、本実施の形態においては、画像処理ユニット２１がメインモジュール２に備えられているので、携帯電話装置４の全体制御を行うメイン処理ユニット２３との間でホストインタフェースを介したデータ転送が可能であるという利点がある。具体的には、画像処理ユニット２１とメイン処理ユニット２３とが同一のメイン基板２０に実装されることにより、これらユニット間をホストインタフェースで容易に接続することが可能である。
【００４７】
これにより、画像処理ユニット２１において生成されたＪＰＥＧ画像データなどのデータを、ホストインタフェースを介してメイン処理ユニット２３に転送することが可能である。そして、カメラ機能の動作中に、メイン処理ユニット２３において携帯電話の着信処理などの割込み処理が発生したような場合であっても、データを取りこぼすことなく、データ転送を確実に実行することが可能である。あるいは、ＹＵＶインタフェースを介して、カメラモジュール１から入力した画像をメイン処理ユニット２３に転送し、メイン処理ユニット２３においてＬＣＤに対する動画像の表示を行いつつ、ホストインタフェースを介してＪＰＥＧ画像データの転送を平行して実行することも可能である。
【００４８】
また、画像処理ユニット２１がメインモジュール２側に実装されることによる別の効果を説明する。携帯電話装置４のＬＣＤに対する表示制御は、多くの場合メイン処理ユニット２３側で行われるのであり、メイン処理ユニット２３は、ＬＣＤに対する表示コントローラを備えている。そこで、本実施の形態のカメラ付き携帯電話装置４において、さらに、表示コントローラを画像処理ユニット２１にも付加するのである。そして、これら２つの表示コントローラにセレクタを接続し、いずれか一方の信号をＬＣＤに出力するような構成をとる。つまり、画像処理ユニット２１とメイン処理ユニット２３とが同一の基板２０上に実装されることにより、このような構成が可能となるのである。そして、画像処理ユニット２１に設けた表示コントローラ側にセレクタを切り替えれば、カメラモジュール１から転送された画像をメイン処理ユニット２３の制御を受けることなく直接ＬＣＤに表示させることが可能である。このような構成とすることにより、ＬＣＤに対するライブビュー表示については、メイン処理ユニット２３に負荷を与えないようにすることが可能である。
【００４９】
図３は、本発明の別の実施の形態を示す図である。図１で示した実施の形態においては、撮像センサ１２がＡ／Ｄ変換回路を備えている場合を説明したが、この実施の形態においては、撮像センサ１２ＡがＡ／Ｄ変換回路を備えていない。したがって、カメラモジュール１Ａは、撮像センサ１２Ａとは別にＡ／Ｄ変換回路１４を備えている。その他の構成は、図１で示したものと同様である。
【００５０】
以上、本発明の実施の形態をカメラ付き携帯電話を例として説明したが、本発明は、他にもカメラ付き携帯情報端末など、本来の機能とは別にカメラ機能が付加された電子機器において同様に効果を奏する。特に、小型化の要求が進んでいる電子機器において、より効果を奏する。
【図面の簡単な説明】
【００５１】
【図１】本実施の形態に係るカメラ付き携帯電話装置のブロック図である。
【図２】カメラモジュールとメインモジュールの概観図である。
【図３】カメラ付き携帯電話装置の別の実施の形態を示す図である。
【図４】従来のカメラ付き電子機器のブロック図である。
【図５】従来のカメラ付き電子機器のブロック図である。
【符号の説明】
【００５２】
１      カメラモジュール
２      メインモジュール
３      フレキシブルケーブル
４      カメラ付き携帯電話装置
１１    レンズ
１２    撮像センサ
１３    フラッシュメモリ
２１    画像処理ユニット
２２    ＳＤＲＡＭ
２３    メイン処理ユニット
３１    （画像信号転送用）信号線
３２    （プログラム転送用）信号線
４０    画像処理プログラム
４１    調整データ
【図１】
2006238298.tif 000003
【図２】
2006238298.tif 000004
【図３】
2006238298.tif 000005
【図４】
2006238298.tif 000006
【図５】
2006238298.tif 000007